(57)【要約】【課題】  灯具ユニット数を増やさずに斜めカットオフラインを有するすれ違い配光パターンを形成することができる車両用灯具を提供する。【解決手段】  車両用前照灯１０は、平面発光部２５の水平カット部２５ａ及び斜めカット部２５ｂが、それぞれ投影されたすれ違い配光パターンの水平カットオフライン及び斜めカットオフラインを形成するように光源２４の平面発光部２５を配置することにより、透光部材２２の後面２２ｂにおける十字領域で反射された平面発光部２５からの光によってすれ違い配光パターンにおける鮮明な水平カットオフライン及び斜めカットオフラインが形成される。また、透光部材２２の後面２２ｂにおける斜め反射領域で反射された平面発光部２５からの光によって、すれ違い配光パターンにおける水平方向に拡がった拡散パターンが形成される。【選択図】  図３
2010262779.tif 000002
【特許請求の範囲】
【請求項１】
一辺が直線状に延びる平面発光部を有する光源と、前記光源からの光を前方へ反射する反射面とを備え、車両前方にすれ違い配光パターンを形成する車両用灯具であって、
前記反射面は、車両前後方向に延びる光軸を回転中心とする略回転放物面で構成されており、前記光軸を中心として水平方向及び垂直方向に延びる十字領域の少なくとも一部の反射領域の反射光によって前記すれ違い配光パターンの斜めカットオフラインを形成し、前記十字領域以外の斜め反射領域の反射光によって前記すれ違い配光パターンの拡散パターンを形成することを特徴とする車両用灯具。
【請求項２】
前記反射面が、前記光源からの光を入射させるように配置された透光部材の後面に構成されており、
前記透光部材が、前記光源からの入射光を該透光部材の前面における反射面で反射させた後に前記後面における前記反射面で反射させて前記透光部材の前面から出射させることを特徴とする請求項１に記載の車両用灯具。
【請求項３】
前記平面発光部が、少なくとも前記斜めカットオフラインを投影するための斜めカット部を有することを特徴とする請求項１又は２に記載の車両用灯具。
【発明の詳細な説明】
【技術分野】
【０００１】
本発明は車両用灯具に関し、特に車両用前照灯において車両前方にすれ違い配光パターンを形成するために用いられる車両用灯具に関する。
【背景技術】
【０００２】
近年、車両用灯具の光源としては、平面発光部を有する発光ダイオード等の半導体発光素子が多く用いられるようになってきている。
また、光源からの光をリフレクタ（反射面）で拡散反射制御することによって、上端部に所定のカットオフラインを有する配光パターンを形成するように構成された車両用前照灯が知られている。
【０００３】
更に、灯具ユニットを薄型に構成する為、一辺が直線状に延びる発光チップを有する半導体発光素子からなる光源と、この光源からの光を入射させるように配置された透光部材とを備えた灯具ユニットが提案されている（例えば、特許文献１参照）。
【０００４】
上記灯具ユニットにおいて、その光源は、発光チップの一辺をその下端部に位置させた状態で該一辺を灯具ユニットの光軸と直交させるようにして前向きに配置されており、その透光部材は、光源からの入射光をその前面で反射させた後にその後面で反射させてその前面から出射させるように構成されている。そして、透光部材の前面は光軸と直交する平面で構成されるとともに、該透光部材の後面はその前面に関して光源の発光中心と対称の位置を焦点とする回転放物面を基準面として形成された所定の光反射制御面で構成されている。
【０００５】
そこで、この灯具ユニットから出射する光の方向を精度良く制御することができ、この灯具ユニットからの光照射により形成される配光パターンは、上記一辺の反転像により鮮明なカットオフラインを有するものとなる。
【先行技術文献】
【特許文献】
【０００６】
【特許文献１】特開２００５−１１７０４号
【発明の概要】
【発明が解決しようとする課題】
【０００７】
しかしながら、上記特許文献１に記載の灯具ユニットは、水平カットオフラインのみを形成可能であるため、すれ違い配光パターンの斜めカットオフライン（１５度カットオフライン）を形成するためには、水平カットオフラインを形成する灯具ユニットを１５度回転させて斜めカットオフラインを形成しなければならない。
そこで、すれ違い配光パターンを形成するためには、水平カットオフラインを形成する灯具ユニットと斜めカットオフラインを形成する灯具ユニットとを複数組合せて用いる必要があり、必要とされる灯具ユニットの個数が多くなってしまうという問題があった。
【０００８】
従って、本発明の目的は上記課題を解消することに係り、灯具ユニット数を増やさずに斜めカットオフラインを有するすれ違い配光パターンを形成することができる車両用灯具を提供することである。
【課題を解決するための手段】
【０００９】
本発明の上記目的は、一辺が直線状に延びる平面発光部を有する光源と、前記光源からの光を前方へ反射する反射面とを備え、車両前方にすれ違い配光パターンを形成する車両用灯具であって、
前記反射面は、車両前後方向に延びる光軸を回転中心とする略回転放物面で構成されており、前記光軸を中心として水平方向及び垂直方向に延びる十字領域の少なくとも一部の反射領域の反射光によって前記すれ違い配光パターンの斜めカットオフラインを形成し、前記十字領域以外の斜め反射領域の反射光によって前記すれ違い配光パターンの拡散パターンを形成することを特徴とする車両用灯具により達成される。
【００１０】
上記構成の車両用灯具によれば、車両前後方向に延びる光軸を回転中心とする略回転放物面で構成された反射面の十字領域以外の斜め反射領域で反射された平面発光部の投影像は、斜めに投影されるが、十字領域で反射された平面発光部の投影像は、殆ど斜めにならずにそのまま車両前方へ投影される。
【００１１】
そこで、平面発光部の直線状に延びる一辺が、投影されたすれ違い配光パターンの斜めカットオフラインを形成するように光源の平面発光部を配置することにより、十字領域で反射された平面発光部からの光によってすれ違い配光パターンにおける鮮明な斜めカットオフラインが形成されると共に、十字領域以外の斜め反射領域で反射された平面発光部からの光によってすれ違い配光パターンにおける拡散パターンが形成される。
従って、上記構成の車両用灯具における反射面で反射された平面発光部の光を車両前方へ投影することにより、鮮明な斜めカットオフラインを有するすれ違い配光パターンを単一の灯具ユニットで形成することができる。
【００１２】
尚、上記構成の車両用灯具において、前記反射面が、前記光源からの光を入射させるように配置された透光部材の後面に構成されており、
前記透光部材が、前記光源からの入射光を該透光部材の前面における反射面で反射させた後に前記後面における前記反射面で反射させて前記透光部材の前面から出射させることが望ましい。
【００１３】
このような構成の車両用灯具によれば、平面発光部を有する光源から光を透光部材の内部で２回反射させて前方へ出射させるように構成されているので、灯具ユニットを薄型に構成することができる。
【００１４】
前記平面発光部が、少なくとも前記斜めカットオフラインを投影するための斜めカット部を有することが望ましい。
【００１５】
このような構成の車両用灯具によれば、平面発光部の一部を遮光したり、平面発光部自体を所望の外形形状としたりすることによって斜めカット部を設けることで、鮮明な斜めカットオフラインと共に鮮明な水平カットオフラインを有するすれ違い配光パターンを容易に形成することができる。
【発明の効果】
【００１６】
本発明に係る車両用灯具によれば、反射面で反射された平面発光部の光を車両前方へ投影することにより、鮮明な斜めカットオフラインを有するすれ違い配光パターンを単一の灯具ユニットで形成することができる。
そこで、灯具ユニット数を増やさずに斜めカットオフラインを有するすれ違い配光パターンを形成することができる良好な車両用灯具を提供できる。
【図面の簡単な説明】
【００１７】
【図１】本発明の一実施形態に係る車両用前照灯の縦断面図である。
【図２】図１に示した灯具ユニットの拡大断面図である。
【図３】図２に示した灯具ユニットの要部拡大正面図である。
【図４】図３に示した発光チップの拡大正面図である。
【図５】図３に示した透光部材における反射面を説明する正面図である。
【図６】灯具ユニットから前方へ照射される光により、灯具前方２５ｍの位置に配置された仮想鉛直スクリーン上に形成される一部の配光パターンを透視的に示す図である。
【図７】（ａ）はすれ違い配光パターンの一部を形成する第１の配光パターンを詳細に示す図、（ｂ）はすれ違い配光パターンの一部を形成する第２の配光パターンを詳細に示す図、（ｃ）はすれ違い配光パターンの一部を形成する第１の配光パターンを詳細に示す図である。
【図８】図４に示した発光チップの他の実施形態を示す拡大正面図である。
【発明を実施するための形態】
【００１８】
以下、本発明に係る車両用灯具の好適な実施形態について、図面を参照して詳細に説明する。
本実施形態に係る車両用前照灯１０は、図１に示すように、例えば車両の前端部分に取り付けられ、すれ違いビームを点消灯可能な灯具である。車両用前照灯１０は、ランプボディ１２とその前端開口部に取り付けられた素通し状の透光カバー１４とで形成される灯室内に、灯具ユニット（車両用灯具）２０と、該灯具ユニット２０を支持するユニットホルダ１６とが収容された構成となっている。
【００１９】
本実施形態のユニットホルダ１６は、透光カバー１４の外形形状に略沿って形成された板状部材であって、図示しないエイミング機構を介してランプボディ１２に上下方向及び左右方向に傾動可能に支持されている。このユニットホルダ１６には、灯具ユニット２０に対応する位置に円形開口部１６ａが形成されており、この円形開口部１６ａの周囲4箇所には後方へ突出するボス１６ｂが形成されている。そして、これら4箇所のボス１６ｂに対して灯具ユニット２０が複数のネジで締付け固定されている。
【００２０】
本実施形態に係る灯具ユニット２０は、図２及び図３に示すように、発光ダイオード等の半導体発光素子からなる光源２４と、この光源２４からの光を入射させるように配置された透光部材２２と、基板２６を介して光源２４を支持する支持ブロック２８とを備えており、車両前後方向に延びる光軸Ａｘを有している。
【００２１】
光源２４は、図４に示すように、長方形の発光チップ２４ａが半球状の封止樹脂部材２４ｂによって封止されている。勿論、光源２４は、複数の正方形の発光チップを水平方向に並べて構成しても良い。
この発光チップ２４ａの平面発光部２５の一部には、遮光膜２６が形成されており、この遮光膜２６は灯具正面視において、左下隅角部分に楔状に形成されている。この遮光膜２６の上端縁は、発光チップ２４ａの下端縁に対し所定角度θ（具体的にはθ＝１５度）上向きに傾斜した斜め方向に延びる直線で構成されている。
【００２２】
このように横長長方形の発光チップ２４ａの表面の一部に楔状の遮光膜２６が形成されることにより、横長五角形の平面発光部２５が形成され、その下端縁は、灯具正面視において互いに鈍角（具体的には１６５度）をなして各々直線状に延びている。
【００２３】
即ち、この平面発光部２５の下端縁は、発光チップ２４ａの下端縁に位置して水平方向に延びる部分が、水平カット部２５ａとして構成されると共に、遮光膜２６の上端縁に位置して直線状に延びる一辺が、この水平カット部２５ａに対して所定角度θ上向きに傾斜した斜め方向に延びる斜めカット部２５ｂとして構成される。
そして、この光源２４は、図３に示すように、その平面発光部２５の下端縁における水平カット部２５ａが、光軸Ａｘを含む水平面上に位置するようにした状態で、前向きに配置されている。
【００２４】
透光部材２２は、図１及び図２に示すように、アクリル樹脂成形品等の透明な合成樹脂成形品からなり、光源２４からの入射光を該透光部材２２の前面２２ａで反射させた後に該透光部材２２の後面２２ｂで反射させて該透光部材２２の前面２２ａから出射させるように構成されている。
【００２５】
透光部材２２の前面２２ａは、光軸Ａｘと直交する平面で構成されており、その光軸近傍領域２２ａ１には、アルミニウム蒸着等による鏡面処理が施されている。この鏡面処理が施された光軸近傍領域２２ａ１は、透光部材２２の前面２２ａにおいて光軸Ａｘを中心とする円形領域として形成されており、その外周縁の位置は、透光部材２２の前面２２ａに入射する光源２４からの光の入射角が透光部材２２の臨界角αと略同じ値となる位置に設定されている。
【００２６】
一方、透光部材２２の後面２２ｂは、車両前後方向に延びる光軸Ａｘを回転中心とする略回転放物面Ｐｒを基準面として形成された所定の光反射制御面（反射面）で構成されており、その全域にわたってアルミニウム蒸着等による鏡面処理が施されている。この光反射制御面は、透光部材２２の前面２２ａに関して光源２４の発光中心と対称の位置を焦点Ｆとする回転放物面Ｐｒを基準面として形成されている。
【００２７】
更に、透光部材２２の後面２２ｂは、図５に示すように、灯具正面視において光軸Ａｘを中心として水平方向及び垂直方向に延びる十字領域２２Ａ，２２Ｂ，２２Ｃ，２２Ｄと、これら十字領域２２Ａ，２２Ｂ，２２Ｃ，２２Ｄ以外の斜め反射領域２２Ｅ，２２Ｆ，２２Ｇ，２２Ｈとによって、光源２４からの光を前方へ反射する反射面である。
【００２８】
十字領域２２Ａ，２２Ｂ，２２Ｃ，２２Ｄの反射面は、透光部材２２の前面２２ａに関して光源２４の発光中心と対称の位置を焦点Ｆとする回転放物面Ｐｒを基準面として形成されており、光源２４からの光を拡散反射させるように構成されている。これに対し、斜め反射領域２２Ｅ，２２Ｆ，２２Ｇ，２２Ｈの反射面は、光源２４からの光を水平方向に大きく拡散反射させるように構成されている。
【００２９】
本実施形態の透光部材２２の後面２２ｂには、光源２４を取り付けるための光源取付用凹部２２ｅが形成されており、この光源取付用凹部２２ｅの中央部には、光源２４の発光中心を半球状に囲む半球状凹部２２ｆが形成されている。そして、この半球状凹部２２ｆの内部空間には、エポキシ樹脂等の透明部材５０が充填されている。
【００３０】
透光部材２２の外周部には、ネジ挿通孔が形成された複数の取付用タブが形成されている。そして、これら各ネジ挿通孔にネジを挿通させて各取付用タブをユニットホルダ１６の各ボス１６ｂに締め付けることにより、発光チップ２４ａの水平カット部２５ａが水平方向に延びるように位置決めされた状態で、灯具ユニット２０のユニットホルダ１６への取付が行われるようになっている。
【００３１】
そこで、本実施形態に係る灯具ユニット２０において、光源２４から透光部材２２に入射した光の大半はその前面２２ａに到達するが、比較的光軸Ａｘ寄りの方向に向かう光は、鏡面処理が施された光軸近傍領域２２ａ１に入射するので、該光軸近傍領域２２ａ１で反射してその多くが透光部材２２の後面２２ｂに入射する。一方、光源２４から透光部材２２に入射した光のうち光軸Ａｘから大きく離れた方向へ向かう光は、透光部材２２の前面２２ａに対して大きな入射角で入射するので、その大半が前面２２ａで内面反射して透光部材２２の後面２２ｂに入射する。
【００３２】
その際、透光部材２２の前面２２ａは光軸Ａｘと直交する平面で構成されているので、透光部材２２の後面２２ｂへの入射は、透光部材２２の前面２２ａに関して発光チップ２４ａと対称の位置を仮想光源とする発散光となるが、透光部材２２の後面２２ｂは、仮想光源の位置を焦点Ｆとする回転放物面Ｐｒを基準面として形成された所定の光反射制御面で構成されているので、その後面２２ｂで反射してその前面２２ａから出射する光の方向を精度良く制御することができる。
【００３３】
また、本実施形態に係る灯具ユニット２０は、その光源２４が発光ダイオードで構成されており、この光源２４から光を透光部材２２の内部で２回反射させて前方へ出射させるように構成されているので、灯具ユニット２０を薄型に構成することができる。
更に、透光部材２２の前面２２ａにおいて鏡面処理が施された光軸近傍領域２２ａ１が円形に形成されており、その外周縁の位置が、透光部材２２の前面２２ａに入射する光源２４からの光の入射角が該透光部材２２の臨界角αと略同じ値となる位置に設定されている。そこで、光軸近傍領域２２ａ１の存在によって透光部材２２の後面２２ｂからの反射光を必要以上に遮蔽してしまうことはなく、透光部材２２の前面２２ａに入射する光源２４からの光の略全量を該前面２２ａで反射させることができ、これにより光束利用率を高めることができる。
【００３４】
図６は、本実施形態に係る灯具ユニット２０から前方へ照射される光により、灯具前方２５ｍの位置に配置された仮想鉛直スクリーン上に形成される一部の配光パターンＰＡを透視的に示す図である。
図６に示した配光パターンＰＡは、二点鎖線で示すすれ違い配光パターンＰＬ１として形成される配光パターンの一部であって、第１の配光パターンＰＡ１と第２の配光パターンＰＡ２と第３の配光パターンＰＡ３との合成配光パターンとして形成されている。尚、図６では各配光パターンの一部のみを図示しているが、すれ違い配光パターンＰＬ１は、これら第１〜第３の配光パターンＰＡ１〜ＰＡ３を適宜重ね合わせながら拡げることにより形成されている。
【００３５】
このすれ違い配光パターンＰＬ１は、左配光のすれ違い配光パターンであって、その上端部に水平及び斜めカットオフラインＣＬ１，ＣＬ２，ＣＬ３を有している。その際、灯具正面方向の消点であるＨ−Ｖを通る鉛直線であるＶ−Ｖ線に対して、対向車線側及び自車線側に水平カットオフラインＣＬ１，ＣＬ３が形成されるとともに、自車線側に斜めカットオフラインＣＬ２が形成されており、水平カットオフラインＣＬ１と斜めカットオフラインＣＬ２の交点であるエルボ点Ｅは、Ｈ−Ｖの０．５〜０．６度程度下方に位置している。
【００３６】
第１の配光パターンＰＡ１は、十字領域２２Ａ，２２Ｂ，２２Ｃ，２２Ｄの反射面からの反射光により形成される集光パターンであって、その上端縁を水平及び斜めカットオフラインＣＬ１，ＣＬ２，ＣＬ３に略一致させるようにして形成されている。
また、第２及び第３の配光パターンＰＡ２，ＰＡ３は、それぞれ斜め反射領域２２Ｇ，２２Ｈ及び斜め反射領域２２Ｅ，２２Ｆの各反射面からの反射光により形成される拡散パターンであって、水平及び斜めカットオフラインＣＬ１，ＣＬ２，ＣＬ３より下方に拡がるようにして形成されている。
【００３７】
図７（ａ）は、第１の配光パターンＰＡ１の広がりの様子を複数の反転投影像Ｉａの重ね合わせで示す図であり、図７（ｂ）は、第２の配光パターンＰＡ２の広がりの様子を複数の反転投影像Ｉｂの重ね合わせで示す図であり、図７（ｃ）は、第３の配光パターンＰＡ３の広がりの様子を複数の反転投影像Ｉｃの重ね合わせで示す図である。
【００３８】
第１の配光パターンＰＡ１は、図７（ａ）に示すように、十字領域２２Ａ，２２Ｂ，２２Ｃ，２２Ｄの反射面による反転投影像Ｉａが、エルボ点Ｅを左寄りに囲むような配光パターンとして形成されている。その際、第１の配光パターンＰＡ１の上端部の輪郭は、平面発光部２５の水平カット部２５ａの反転投影像が水平方向に延びる鮮明な水平カットオフラインＣＬ１，ＣＬ３を形成し、平面発光部２５の斜めカット部２５ｂの反転投影像が鮮明な斜めカットオフラインＣＬ２を形成する。
【００３９】
第２の配光パターンＰＡ２は、図７（ｂ）に示すように、斜め反射領域２２Ｇ，２２Ｈの反射面による反転投影像Ｉｂが、水平及び斜めカットオフラインＣＬ１，ＣＬ２，ＣＬ３より下方に拡がるように拡散した配光パターンとして形成されている。その際、反転投影像Ｉｂは、右下がりに傾いて投影される。
【００４０】
第３の配光パターンＰＡ３は、図７（ｃ）に示すように、斜め反射領域２２Ｅ，２２Ｆの反射面による反転投影像Ｉｃが、水平及び斜めカットオフラインＣＬ１，ＣＬ２，ＣＬ３より下方に拡がるように拡散した配光パターンとして形成されている。その際、反転投影像Ｉｃは、左下がりに傾いて投影される。
【００４１】
即ち、十字領域２２Ａ，２２Ｂ，２２Ｃ，２２Ｄで反射された平面発光部２５の反転投影像Ｉａは、殆ど斜めに傾かずにそのまま車両前方へ投影される。そこで、平面発光部２５の水平カット部２５ａ及び斜めカット部２５ｂが、それぞれ投影されたすれ違い配光パターンＰＬ１の水平カットオフラインＣＬ１，ＣＬ３及び斜めカットオフラインＣＬ２を形成するように光源２４の平面発光部２５を配置することにより、十字領域２２Ａ，２２Ｂ，２２Ｃ，２２Ｄで反射された平面発光部２５からの光によってすれ違い配光パターンＰＬ１における鮮明な水平カットオフラインＣＬ１，ＣＬ３及び斜めカットオフラインＣＬ２が形成される。
【００４２】
また、斜め反射領域２２Ｅ，２２Ｆ，２２Ｇ，２２Ｈで反射された平面発光部２５からの光によって、すれ違い配光パターンＰＬ１における水平方向に拡がった拡散パターンが形成される。この際、斜め反射領域２２Ｅ，２２Ｆ，２２Ｇ，２２Ｈで反射された平面発光部２５の反転投影像Ｉｂ，Ｉｃは、それぞれ徐々に傾きながら重ね合って投影されるので、適度に輪郭が不鮮明になって光度分布が均一な拡散パターンを形成することができる。
【００４３】
従って、上記構成の灯具ユニット２０における透光部材２２の後面２２ｂで反射された平面発光部２５の光を車両前方へ投影することにより、鮮明な水平カットオフラインＣＬ１，ＣＬ３及び斜めカットオフラインＣＬ２を有するすれ違い配光パターンＰＬ１を単一の灯具ユニットで形成することができる。
そこで、灯具ユニット数を増やさずに水平カットオフラインＣＬ１，ＣＬ３及び斜めカットオフラインＣＬ２を有するすれ違い配光パターンＰＬ１を形成することができる良好な車両用前照灯１０を提供できる。
【００４４】
尚、本実施形態に係る灯具ユニット２０の光源２４は、図４に示した発光チップ２４ａのように、平面発光部２５の左下隅角部分に楔状に形成した遮光膜２６によって、平面発光部２５に斜めカット部２５ｂを形成したが、図８に示す発光チップ３４ａのように、平面発光部３５の左下隅角部分に台形状に形成した遮光膜３６によって、平面発光部３５に斜めカット部３５ｂ及び水平カット部３５ｃを形成しても良い。この遮光膜３６の斜辺は、発光チップ３４ａの下端縁に対し所定角度θ（具体的にはθ＝１５度）上向きに傾斜した斜め方向に延びる直線で構成されている。
【００４５】
即ち、この平面発光部３５の下端縁は、発光チップ３４ａの下端縁に位置して水平方向に延びる部分が、水平カットオフラインＣＬ３を形成する水平カット部３５ａとして構成され、遮光膜３６の斜辺に位置して直線状に延びる一辺が、斜めカットオフラインＣＬ２を形成する斜めカット部３５ｂとして構成され、遮光膜３６の上底に位置して水平方向に延びる部分が、水平カットオフラインＣＬ１を形成する水平カット部３５ｃとして構成される。
【００４６】
また、本発明の車両用灯具に係る光源は、長方形の発光チップに形成した遮光膜によって所望の発光形状を有する平面発光部を得るだけではなく、発光チップ部自体の形状を所望の発光形状としても良い。更に、発光チップの前面に導光体を設け、該導光体の出射部の形状を所望の形状とすることで、所望の発光形状を有する平面発光部を構成することもできる。更に、矩形状の発光チップを適宜傾けて配置し、傾けた該発光チップの一辺を車両前方へ投影することにより、すれ違い配光パターンの斜めカットオフラインを形成しても良い。
【００４７】
また、上記実施形態の灯具ユニット２０においては、光源からの光を前方へ反射する反射面を透光部材２２の後面２２ｂに形成した光反射制御面で構成したが、本発明の車両用灯具に係る反射面はこれに限定されるものではなく、本発明の趣旨に基づいて種々の形態を採りうることは勿論である。
例えば、車両前後方向に延びる光軸を回転中心とする略回転放物面を基準面として形成されたリフレクタの反射面により構成しても良い。この場合、回転放物面の焦点に位置する光源の平面発光部がリフレクタの反射面に正対して配置されると、光源の光を有効に利用することができる。
【００４８】
また、上記実施形態の灯具ユニット２０においては、略回転放物面Ｐｒを基準面として拡散光を形成する反射面を用いたが、反射面に拡散効果を持たせる代わりに、反射面の前方に水平方向に拡散する別のレンズ部材を配置しても良い。
また、上記実施形態の灯具ユニット２０においては、十字領域２２Ａ，２２Ｂ，２２Ｃ，２２Ｄの反射光ですれ違い配光パターンＰＬ１の斜めカットオフラインＣＬ２を形成したが、斜めカットオフラインＣＬ２は４つの十字領域２２Ａ，２２Ｂ，２２Ｃ，２２Ｄの少なくとも一部の反射領域の反射光によって形成することができる。
【符号の説明】
【００４９】
１０  車両用前照灯
１２  ランプボディ
１４  透光カバー
１６  ユニットホルダ
２０  灯具ユニット（車両用灯具）
２２  透光部材
２２ａ  前面
２２ｂ  後面（反射面）
２２Ａ，２２Ｂ，２２Ｃ，２２Ｄ  十字領域
２２Ｅ，２２Ｆ，２２Ｇ，２２Ｈ  斜め反射領域
２４  光源
２４ａ  発光チップ
２５  平面発光部
２５ａ  水平カット部
２５ｂ  斜めカット部
２６  遮蔽膜
Ａｘ  光軸
【図１】
2010262779.tif 000003
【図２】
2010262779.tif 000004
【図３】
2010262779.tif 000005
【図４】
2010262779.tif 000006
【図５】
2010262779.tif 000007
【図６】
2010262779.tif 000008
【図７】
2010262779.tif 000009
【図８】
2010262779.tif 000010